(57)【要約】【課題】見栄えがよく、しかも吸音性能、耐火性能等に優れ、コンサートホール、公共施設、学校、病院、図書館、会社の会議室、あるいは、一般住宅の内装用パネルとして、更には、トイレブースやパーティッション用材として好適な吸音パネルを提供することを課題とする。【解決手段】任意の模様や色柄の印刷表現が可能であって全面又は広範囲にピンホール２を透設した樹脂製化粧フィルム１である第１層と、前記ピンホール２に連通する前記ピンホール２と同径又はより大径の小径孔４を前記ピンホール２の透設位置に対応させて穿設した金属製薄板３である第２層と、吸音材層５である第３層を含んで構成される。【選択図】図１
2014091976.tif 000002
【特許請求の範囲】
【請求項１】
任意の模様や色柄の印刷表現が可能であって全面又は広範囲にピンホールを透設した樹脂製化粧フィルムである第１層と、前記ピンホールに連通する前記ピンホールと同径の又はそれより大径の小径孔を前記ピンホールの透設位置に対応させて穿設した金属製薄板である第２層と、前記第１層及び前記第２層を担持する吸音材層である第３層とから成ることを特徴とする吸音パネル。
【請求項２】
前記小径孔は、前記ピンホールの１つと連通するように形成される、請求項１乃至９のいずれかに記載の吸音パネル。
【請求項３】
前記小径孔は、前記ピンホールの複数と連通し得るように形成される、請求項１又は２に記載の吸音パネル。
【請求項４】
前記ピンホールの孔径は１ｍｍ以下である、請求項１乃至３のいずれかに記載の吸音パネル。
【請求項５】
前記金属製薄板は、０．３〜１ｍｍの厚さのアルミニウム板である、請求項１乃至４のいずれかに記載の吸音パネル。
【請求項６】
前記樹脂製化粧フィルムは、吸臭、ＣＯ２  吸着、抗菌、防汚のうちの1又は複数の機能を有する、請求項１乃至５のいずれかに記載の吸音パネル。
【請求項７】
前記吸音材層は、ボード状に成形されたグラスウールである、請求項１乃至６のいずれかに記載の吸音パネル。
【請求項８】
前記吸音材層は、ボード状に成形されたロックウールである、請求項１乃至６のいずれかに記載の吸音パネル。
【発明の詳細な説明】
【技術分野】
【０００１】
本発明は吸音パネルに関するものであり、より詳細には、主に、コンサートホール、公共施設、学校、病院、図書館、会社の会議室、一般住宅等の内装用パネルとして用いられる、見栄えがよくて吸音性能に優れた吸音パネルに関するものである。
【背景技術】
【０００２】
特にコンサートホール、公共施設、学校、病院、図書館、会社の会議室等に用いられる内装用パネルは、吸音性能を有していることが望まれる。従来、吸音板としては一般に、表面に多数の吸音孔を穿設した多孔性ボードが用いられている。
【０００３】
しかるに、内壁用パネルとして多く用いられている石膏ボードやけい酸カルシウムボード等の無機質系ボード、あるいは、無垢材や化粧合板等の木質系ボード等のボードに、その表面化粧層を通して多数の吸音孔を穿設する場合、これらのボードに形成し得る孔径には限度があるため、目立たないレベルに小径化することは困難である。そのため、折角印刷等により表面化粧層を見栄え良く仕上げても、各孔の内側面だけでなく、各孔を通して石膏ボードやけい酸カルシウムボード等の明色部分が露見して目に付いてしまうため、全体的に見た目が悪いものとなってしまうおそれがある。
【０００４】
また、表面にガラスクロス等のクロスを張着する場合もあるが、その場合は、付着した埃を拭き取り等により除去することが困難であるために、不衛生であるだけでなく、経時的に変色して見た目が悪くなるおそれがあるという問題がある。
【先行技術文献】
【特許文献】
【０００５】
【特許文献１】特開２００１−１３２１３２号公報
【特許文献２】特開２００１−６５０７７号公報
【特許文献３】実開昭５４−９８０１４号公報
【発明の概要】
【発明が解決しようとする課題】
【０００６】
上述したように、内壁用パネルとして多く用いられている無機質系ボードや木質系ボード等を、吸音性を持たせるために表面化粧層から多孔化しようとすると、これらのボードに形成し得る孔径に限度があって、目立たないレベルに小径化することは困難であるため、各孔が目障りとなって外観を損ねるおそれがあるが、従来は、吸音の点に重きが置かれていて、デザイン性は二の次とされていた。また、表面にガラスクロス等のクロスを用いる場合には、埃の除去が困難で不衛生であると共に、変色して見た目が悪くなるおそれがあるという問題があった。
【０００７】
本発明は、このような従来技術における問題点を解決するためになされたもので、吸音性を持たせるための孔を目立たないレベルのものにすることで、見栄えがよく、埃の除去が容易なために衛生的で、吸音性能に優れ、更には、多品種小ロット施工にも適し、コンサートホール、公共施設、学校、病院、図書館、会社の会議室、あるいは、一般住宅の内装用パネルとしてとして用いるのに好適な吸音パネルを提供することを課題とする。
【課題を解決するための手段】
【０００８】
上記課題を解決するための請求項１に記載の発明は、任意の模様や色柄の印刷表現が可能であって全面又は広範囲にピンホールを透設した樹脂製化粧フィルムである第１層と、前記ピンホールに連通する前記ピンホールと同径の又はそれより大径の小径孔を前記ピンホールの透設位置に対応させて穿設した金属製薄板である第２層と、前記第１層及び前記第２層を担持する吸音材層である第３層とから成ることを特徴とする吸音パネルである。
【０００９】
一実施形態においては、前記小径孔は、前記ピンホールの１つと連通するように形成され、他の実施形態においては、前記小径孔は、前記ピンホールの複数と連通し得るように形成される。
【００１０】
前記ピンホールの孔径は１ｍｍ以下とされ、前記金属製薄板は、通例、０．３〜１ｍｍの厚さのアルミニウム板とされる。また、前記樹脂製化粧フィルムは、吸臭、ＣＯ２  吸着、抗菌、防汚のうちの1又は複数の機能を有するものとされることがある。
【００１１】
一実施形態においては、前記吸音材層は、ボード状に成形されたグラスウールとされ、他の実施形態においては、前記吸音材層は、ボード状に成形されたロックウールとされる。
【発明の効果】
【００１２】
本発明は上述したように、任意の模様や色柄の印刷表現が可能であって全面又は広範囲にピンホールを透設した樹脂製化粧フィルムである第１層と、前記ピンホールに連通する前記ピンホールよりも大径の小径孔を前記ピンホールの透設位置に対応させて形成した金属製薄板である第２層とを含み、通例、吸音性を具有させるための前記ピンホールは孔径が１ｍｍ以下とされて目立たないため、見栄えがよくて埃が溜まりにくい衛生的な表面状態が確保され、また、第２層の金属製薄板によって表面の剛性が確保される効果がある。
【００１３】
更に、第３層として吸音材層を含むことにより吸音性能に優れ、また、第２層の金属製薄板と、通例、不燃性のグラスウール又はロックウールで形成される吸音材層を含むことにより不燃性を具備する吸音ボードとなるため、特にコンサートホール、公共施設、学校、病院、図書館、会社の会議室その他、消音が必要な室内の内装用パネルとして、あるいは、トイレブースやパーティッション用材として用いるのに好適なものとなる効果がある。
【図面の簡単な説明】
【００１４】
【図１】本発明に係る吸音パネルの第１の実施形態の部分破断斜視図である。
【図２】本発明に係る吸音パネルの第２の実施形態の部分破断斜視図である。
【図３】本発明に係る吸音パネルに形成される各孔の配置関係の種々の例を示す平面図である。
【発明を実施するための形態】
【００１５】
以下に、本発明を実施するための種々の形態につき、添付図面に依拠して説明する。本発明に係る吸音パネルは、任意の模様や色柄の印刷表現が可能であって全面又は広範囲にピンホール２を透設した樹脂製化粧フィルム１である第１層と、ピンホール２に連通するピンホール２と同径の又はそれより大径の小径孔４をピンホール２の透設位置に対応させて穿設した金属製薄板３である第２層と、樹脂製化粧フィルム１及び金属製薄板３を担持する吸音材層５である第３層とから成ることを特徴とする。
【００１６】
樹脂製化粧フィルム１は表層となるため、難燃性であると共に、ある程度の美観を有することが要求される。そのため樹脂製化粧フィルム１は、木目模様その他種々多様の任意の模様や色柄表現等の印刷が可能なものであることが要求される。この樹脂製化粧フィルム１としては、例えば、グラビア印刷可能な塩化ビニールシートであって、必要に応じてその上に、表面保護及び耐久性向上のためにフッ素フィルム等のフィルムをラミネートしたものを用いることができる。また、樹脂製化粧フィルム１として、吸臭、ＣＯ２  吸着、抗菌、防汚のうちの、１又は複数の機能を有するものを用いることもできる。
【００１７】
樹脂製化粧フィルム１に透設されるピンホール２は、目立たないサイズ、即ち、１ｍｍ以下の小孔径であって、定間隔置きに又はランダムに、また、樹脂製化粧フィルム１の全面又は広範囲に亘り透設される。孔径がこのレベルであると、壁面や天井面に張設された場合、通気は可能であるが、少し離れると、その表面に施される模様や色柄表現等に関係なく、ほとんど視認することができないものとなる（図面上はその存在を明確にするために目立つように表現されている。）。従って、施工後表出して目障りとなって、樹脂製化粧フィルム１の見た目が損なわれることはない。
【００１８】
第２層を形成する金属製薄板３としては、通例、０．３〜１ｍｍのアルミニウム板が用いられる。この板材の厚さが０．３ｍｍ以下であると、十分な表面強度が得られないことになり、１ｍｍ以上であると、重量が嵩むと共に、後述する小径孔４の穿設（特にピンホール２と同径に穿設する場合）が容易ではなくなる。金属製薄板３には、ピンホール２に連通するピンホール２と同径の、あるいは、それより大径の小径孔４が、各ピンホール２の透設位置に対応させて穿設される。    
【００１９】
図１に示される第１の実施形態においては、ピンホール２と小径孔４はそれぞれ同径にされ、且つ、１つづつ対応するように形成されている。ピンホール２と小径孔４を同径とする場合は、予め樹脂製化粧フィルム１と金属製薄板３とを貼り合わせ、その上から穿孔するようにすれば、ピンホール２と小径孔４を一度に形成することができる。もちろん、別途穿孔したもの同士を位置決めして貼り合わせることとしてもよい。小径孔４がピンホール２よりも大径の場合は、後者の方法によることになる。
【００２０】
図２に示される第２の実施形態においては、各小径孔４は、複数のピンホール２を包含し得るサイズに開口され、複数のピンホール２と連通するようにされる。例えば、孔径が１ｍｍのピンホール２を縦横４ｍｍ間隔置きに透設した樹脂製化粧フィルム１を用い、小径孔４の孔径を６ｍｍとした場合は、各小径孔４内にピンホール２が４個づつ収まることになる。
【００２１】
第３層を形成する吸音材層５としては、好ましくは、ボード状に成形されたグラスウール又はロックウールが用いられ、接着等により金属製薄板３の裏面に固定される。グラスウールとしては、厚さが２５〜５０ｍｍの高密度（例えば、９６ｋｇ／ｍ３  ）のものを１枚、あるいは、施工場所によっては複数枚積層して用いることが好ましい。また、ロックウールとしては、厚さが２５〜５０ｍｍで密度が８０ｋｇ／ｍ３  程度のものを１枚、あるいは、施工場所によっては複数枚積層して用いることが好ましい。
【００２２】
以上いずれの実施形態においても、第１層の樹脂製化粧フィルム１の下に第２層として金属製薄板３が配置されるため、インテリアパネルとして適度な表面強度が得られ、殊に、天井面に用いる吸音パネルとしては十分な強度のものとなる。また、室内の騒音、雑音を無数のピンホール２から吸収し、小径孔４を介して吸音材層５内に放出することにより消音させることができるので、十分な吸音・消音効果が得られる。
【００２３】
以上のようにして形成された本発明に係る吸音パネルは、一般の内壁用パネルとして、殊に天井用パネルとして、一般のパネルと同様に施工されるが、本吸音パネルの場合の表層は、孔径が１ｍｍ以下であって目立つことのないピンホール２を多数配設した樹脂製化粧フィルム１であるため、ピンホール２によってその見た目が損なわれることがない。
【００２４】
しかも、この樹脂製化粧フィルム１は、任意の模様や色柄等を表現することが可能であるため、予め種々のものを用意しておき、用途に合わせて選択することができるだけでなく、その都度所望の模様や色柄に印刷して用いることも可能であるため、多品種小ロット施工に適するものとなる。
【００２５】
更に、本発明に係る吸音ボードの場合は、表層となる樹脂製化粧フィルム１に形成されるピンホール５は、孔径が１ｍｍ以下であって埃が溜まりにくく、平面が平滑であるために埃の拭き取り除去が容易で衛生的である。また、樹脂製化粧フィルム１はそれ自体が難燃性であるだけでなく、更に金属製薄板３、並びに、通例、不燃性のグラスウール又はロックウールで形成される吸音材層と一体となるために、一層耐火性能に優れたものとなる。また、ピンホール２を通しての吸音性能にも優れ、特にコンサートホール、公共施設、学校、病院、図書館、会社の会議室その他、消音が必要な室内の内装用パネル、殊に天井用パネルとして用いるのに好適なものとなる。
【００２６】
本発明に係る吸音パネルの有効性（吸音率）を確認するために、東京都立産業技術研究センターに、残響室法吸音率測定（１／３オクターブバンド  １８周波数）試験を依頼した。試験に用いた試料は、孔径１ｍｍのピンホールを穿設した塩ビシート（樹脂製化粧フィルム１）と、孔径１ｍｍの小径孔を穿設した厚さ０．５ｍｍのアルミニウム板（金属製薄板３）と、密度が９６ｋｇ／ｍ３  で厚さが２５ｍｍのグラスウール（吸音材層５）とから成るものである。
【００２７】
測定結果は下記表、並びに、図３のグラフに示すとおりである。
2014091976.tif 000003
【００２８】
上記試験結果により、本発明に係る吸音ボードの場合は、特に５００Ｈｚ以上の中高音域において優れた吸音効果を発揮することが確認された。
【００２９】
なお、本発明に係る吸音パネルは、施工壁面の全体に配置される場合と、中間部のみ、あるいは、中間部と上部といった具合に、部分的に配置される場合とがある。
【００３０】
この発明をある程度詳細にその最も好ましい実施形態について説明してきたが、この発明の精神と範囲に反することなしに更に異なる実施形態を構成することができることは言うまでもない。従って、この発明は、添付請求の範囲において限定した以外はその特定の実施形態に制約されるものではない。
【符号の説明】
【００３１】
１    樹脂製化粧フィルム
２    ピンホール
３    金属製薄板
４    小径孔
５    吸音材層
【図１】
2014091976.tif 000004
【図２】
2014091976.tif 000005
【図３】
2014091976.tif 000006